(57)【特許請求の範囲】
【請求項１】
保持具のケース本体に、少なくとも電線部と電球部の２個所で水密構造を形成し、前記ケース本体内部に、電線ケーブルと電球の口金との接続を行うソケットを取り付ける水密絶縁端子台を設けた水中灯保持具において、
電線端子部の回りの前記水密絶縁端子台部周辺に透明部を設け、端子部の水漏れ、ショートなどの異常を外部から確認できる構造としたことを特徴とする水中灯保持具。
【請求項２】
透明部を透明な環状筒体とし、この環状筒体を、水密構造のパッキンでケース本体に取り付けたことを特徴とする請求項１記載の水中灯保持具。
【発明の詳細な説明】
【０００１】
【発明の属する技術分野】
本発明は、漁業や水中作業等の目的で船上より吊り下げて使用される水中灯の保持具の水密構造に関する。
【０００２】
【従来の技術】
水中灯保持具は、ケース本体内においても電線接続部と電球部の２個所の水密構造をとらなければならない。従来の電球の管状基端部はストレートの円筒状であったので、電球部を水密構造とするためには、実公昭５４−４８３６号公報に示されるようにドーナツ状パッキンの上下板間を圧縮し、中間の弾性体を内方に膨出させることにより水密化を図っていた。
しかしながら、確実に弾性体と管球部との間を密着させるためには、ドーナツ状パッキンの上下板間の圧縮量をかなり大きくしなければならないという問題があった。
【０００３】
この問題を解決するため本出願人は先に、図３〜図７に示す水中灯保持具を考案し、出願した（実公昭６３−６８１２号公報参照）。図３はその従来例を示す半断面正面図、図４は電球の段部の例を示す正面図、図５は電球パッキン部の詳細を示す断面図、図６は環状パッキンの構造を示す一部切欠斜視図、図７はパッキン押えを示す一部切欠斜視図である。
【０００４】
この従来例は、電球１の基端部周縁に口金１ｂ側が小径となる段部１ａを形成した電球を収納する中空ケース２と、電球の段部１ａの外周と中空ケース２内壁との間に配置される環状パッキン１０と、環状パッキン１０を中空ケース２の端部から環状パッキン１０の厚み方向に締め付けるパッキン押え１１とを備え、環状パッキン１０は、それぞれ剛体にてなる上部環体１０ａ及び下部環体１０ｃとの間に、環状弾性体１０ｂが挟着された構造とし、環状弾性体１０ｂの内周面が取付状態において電球１の段部１ａの外周面に位置する配置とすると共に、パッキン押え１１によって環状弾性体１０ｂが締め付けられたときに環状弾性体１０ｂが内方に膨出して電球の段部１ａの外周に圧接する構成とし、上部環体１０ａの内周には内方突出部１０ｄを形成し、電球１の段部１ａの上縁と内方突出部１０ｄとの間にＯリング９を配設し、環状パッキン１０の下部環体１０ｃとケース本体２に、ケース本体２の外部と連通する冷却用流通部１１ａ及び２ａを設けたものである。
【０００５】
図中、３はソケット、４は電線、５は電線スリーブ、６は電線グランド、７は電線パッキン、８は電線４の金属露出部を絶縁するための電線スリーブ、１２は締付ボルト、１３は電球ガードを示す。
【０００６】
【発明が解決しようとする課題】
主に漁業用の集魚灯として使用される水中灯は空中で点灯する集魚灯と比べ深海で有効とされている。特にイカ釣り漁業では水中灯を用いて深海での操業が可能となり、近年は深海での昼操業も行われ耐水圧の向上も要求されている。
【０００７】
その際、保持具及び電球の改善と併せて重要な問題となるのは消耗品である電球と電線との因果関係である。
【０００８】
通常、操業時のイカの群の位置は深海（３００ｍ位）であるため水中灯巻揚機を用いて水中灯の投下、巻揚げを行っているが、その設置位置は船舶の構造上、船体中腹部の右舷、左舷となる。船舶を停めて、その位置から電線ケーブルで宙吊り状態で使用される水中灯は、潮流の影響で流され、電線はイカ釣針とクロスしたり船底を擦り損傷が激しくなる。
【０００９】
１）電線ケーブルの損傷した被覆の部分から浸水すると、水は電線の心線を通って保持具内にてショートし、電球も不良となる。引き上げて補修する際、長い電線を巻揚機で巻き上げるため、電線の傷は発見しにくく、電球を取り替えて再度使用すると、電線ケーブルの被覆の損傷は直っていないため、同様のことを繰り返す。
【００１０】
２）また、使用中に電球が破損すると電線の芯線に浸水し、その海水が端子部に垂れショートし、傷がなくとも不良となり同様のことを繰り返す。
【００１１】
１）２）の因果関係を解消するのが、ケース本体と電球との間に二重水密を設ける目的であるが、１）２）の原因で不良となった電線の判別は、従来の真鍮や鉄の鋳物で作られた保持具のケースでは、外からは不可能であった。従来の保持具では分解し更に電線の絶縁テストをしなければならない。また２）の原因による電線は絶縁テストでも判別できないこともある。
【００１２】
そこで本発明が解決しようとする第１の課題は、保持具のケースの外側から、電線の浸水の状況を目視できる構造を提供することである。
【００１３】
一方、前述の図５のＯリング９に密着する電球段部１ａと電球をソケット３に締め付けた時のソケット先端部までの長さＬの寸法に、高い精度を必要としている。つまりＬがプラス方向に公差を外れると外部からの水圧を受け止めるＯリング９が作用しなくなり電球１の口金１ｂが破損する。またＬがマイナス方向の公差を外れると電線４のリード線のみにて固定されているソケット３が電球方向に引っ張られ不具合が生じる。何れにしても各部の製造上の精度と組立時の注意を必要とする。
【００１４】
また、近年水中灯電球が高ワット化するにつれ、電球が長くなるため電球先端部に振れ止めサポート部を設けている。しかし芯振れ方向にはソケット及び口金部と電球パッキン部の２点で固定されているものを更に先端で軸心方向に締めると軸精度の悪い電球ではかえってストレスがかかり、ネック部で破損することがある。
【００１５】
そこで本発明が解決しようとする第２の課題は、電球の段部と口金先端部までの寸法に多少の誤差があっても、電球を安定して保持することのできる水中灯保持具を提供することである。
【００１６】
【課題を解決するための手段】
前記第１の課題を解決するため、本発明は、保持具のケース本体に、少なくとも電線部と電球部の２個所で水密構造を形成し、前記ケース本体内部に、電線ケーブルと電球の口金との接続を行うソケットを取り付ける水密絶縁端子台を設けた水中灯保持具において、電線端子部の回りの前記水密絶縁端子台部周辺に透明部を設け、端子部の水漏れ、ショートなどの異常を外部から確認できる構造としたことを特徴とする。
【００１７】
この水中灯保持具において、透明部を透明な環状筒体とし、この環状筒体を、水密構造のパッキンでケース本体に取り付けた構造とすることができる。
【００１９】
【発明の実施の形態】
以下、本発明の実施の形態を、図面に示す実施例を参照しながら具体的に説明する。
図１は本発明の実施例の半断面正面図、図２はソケットの可撓性による作用を示す断面図である。
【００２０】
これらの図において、２１はセラミックス等の絶縁体からなる水密絶縁端子台、２２はガラス製のソケット、２３は端子台２１に端部を固定され頭部がソケット２２の中央に設けた穴に位置するように設けられたガイド軸、２４はガイド軸２３の頭部とソケット２２の中央に設けた穴の底部との間に介設されたスプリング、２５は端子兼回り止め、２６は電線端子部の周囲に装着された透明なアクリル筒、２７はアクリル筒２６をケース本体２に水密に取り付けるための円筒型シリコンパッキン、２８は円筒型シリコンパッキン２７を圧縮して取り付けるための締め付けボルト、２９は電線パッキン、３０は電線端子である。
なお、その他の構成は、従来と同様であるので、同じ符号を付して説明を省略する。
【００２１】
本実施例では、電線端子部の回りのケース本体を上下に分割してその中間に、透明なアクリル筒２６を介在させ、上下に円筒型シリコンパッキン２７を配置して、締め付けボルト２８で締め付けて円筒型シリコンパッキン２７を圧縮し、深海の水圧に耐えるような水密構造としている。このような構造とすることにより、透明なアクリル筒２６を透して電線端子部が目視できるので、電線部の不良や漏水の状態を外部より確認することができる。なお、水密構造とするためのパッキンは、必ずしも円筒型シリコンパッキン２７を用いることに限定されるものではなく、Ｏリングを用いたり、その他の構造とすることもできる。また、アクリル筒ではなく、強化ガラスやその他の透明材質のものを使用してもよい。
【００２２】
さらに、本実施例では、電球口金部を水密絶縁端子台２１にスプリング２４を介し可撓性をもたせて取り付ける。電球ソケット２２と端子台２１とは、ガイド軸２３によって軸方向に移動自在でありかつガイド軸２３の頭部を中心に所定の角度傾動自在である。また、電球ソケット２２と水密絶縁端子台２１は可撓性電線にて接続する。
【００２３】
本実施例において、通常は、図２（ａ）に示すように、スプリング２４の弾性力でソケット２２は端子台２１側に位置している。電球１をねじ込むと、図２（ｂ）に示すように、ソケット２２は電球方向に寸法Ｄ移動する。また電球段部１ａはスプリング圧によりＯリング９に密着する。つまり長さ方向の精度をＤの範囲内で吸収することができる。
【００２４】
また、ソケット２２の取付に軸芯方向の遊びを設けることにより電球は傾動できるので、電球パッキン部及び電球先端のサポート部の２点で保持される電球ネック部にストレスを受けず安定して保持することができる。
【００２５】
【発明の効果】
上述したように、本発明によれば下記の効果を奏する。
（１）灯体絶縁端子部周辺に透明部を設けたので、端子部の水漏れ、ショートなどの異常を外部から確認できる。
（２）電球部、電線部以外の二重水密部に円筒型パッキンを用いたので、電球部及び電線部の水密構造とは切り離した透明部の水密構造とすることができる。
（３）電球ソケットを水密絶縁端子台にスプリングを介し可撓性をもたせて取り付けたので、電球をソケットにねじ込むと口金は電球方向に移動可能であり、また電球段部はスプリング圧によりＯリングに密着するので、電球の長さ方向の精度をその範囲内で吸収することができる。
（４）ソケットの取付に軸芯方向に遊びを設けたので、電球は電球パッキン部及び電球先端のサポート部の２点で保持され、電球ネック部にストレスを受けず安定して保持することができる。
【図面の簡単な説明】
【図１】  本発明の実施例の半断面正面図である。
【図２】  本発明の実施例におけるソケットの可撓性による作用を示す断面図である。
【図３】  従来例を示す半断面正面図である。
【図４】  従来例における電球の段部の例を示す正面図である。
【図５】  従来例における電球パッキン部の詳細を示す断面図である。
【図６】  従来例における環状パッキンの構造を示す一部切欠斜視図である。
【図７】  従来例におけるパッキン押えを示す一部切欠斜視図である。
【符号の説明】
１  電球、１ａ  段部、１ｂ  口金、２  ケース本体、２ａ  水の流通部、３  ソケット、４  電線、５  電線スリーブ、６  電線グランド、７  電線パッキン、８  電線スリーブ、９  Ｏリング、１０  環状パッキン、１０ａ  上部環体、１０ｂ  環状弾性体、１０ｃ  下部環体、１１  パッキン押さえ、１１ａ  水の流通部、１２  締付ボルト、１３  電球ガード、２１  水密絶縁端子台、２２  ソケット、２３  ガイド軸、２４  スプリング、２５  端子兼回り止め、２６  アクリル筒、２７  円筒型シリコンパッキン、２８  締め付けボルト、２９  電線パッキン、３０  電線端子
【図１】
0004323672.tif 000002
【図２】
0004323672.tif 000003
【図３】
0004323672.tif 000004
【図４】
0004323672.tif 000005
【図５】
0004323672.tif 000006
【図６】
0004323672.tif 000007
【図７】
0004323672.tif 000008